(57)【要約】      （修正有）【課題】ファッション性に優れるとともに、身体の一部に巻付けたときに端部同士を容易に結ぶ等することができる帯状身体装着具を提供する。【解決手段】冷却物３１を収容するポケツトを備える帯状身体装着具１であって、２枚の布製の帯状部材１１ａ、１１ｂを積層させ、帯状部材の長手方向に所定の距離を有する中央部１２、及び中央部の両側に設けられた一対の端部１３ａ、１３ｂ、１４ｂを備える帯状本体部１０と、中央部のうち帯状部材の長手方向に所定の距離を空けるとともに帯状部材を幅方向にわたって接合する第１接合部２１、中央部のうち幅方向の一方の縁部を接合する第２接合部２２、及び中央部のうち幅方向の他方の縁部に設けられた開口部２３によって構成されるポケット２０と、を備え、端部は２枚の帯状部材が接合されずにそれぞれの帯状部材が独立している。【選択図】図１
0003224459.tif 000002
【実用新案登録請求の範囲】
【請求項１】
冷却物を収容するポケツトを備える帯状身体装着具であって、
２枚の布製の帯状部材を積層させ、前記帯状部材の長手方向に所定の距離を有する中央部、及び前記中央部の両側に設けられた一対の端部を備える帯状本体部と、
前記中央部のうち前記帯状部材の長手方向に所定の距離を空けるとともに前記帯状部材を幅方向にわたって接合する第１接合部、前記中央部のうち幅方向の一方の縁部を接合する第２接合部、及び前記中央部のうち幅方向の他方の縁部に設けられた開口部によって構成されるポケットと、を備え、
前記端部は２枚の前記帯状部材が接合されずにそれぞれの前記帯状部材が独立していることを特徴とする帯状身体装着具。
【請求項２】
前記帯状部材が長手方向にずらして積層され、前記帯状本体部の長手方向の先端にオフセット部を備えることを特徴とする請求項１に記載の帯状身体装着具。
【請求項３】
２枚の前記帯状部材の色又は柄が異なっていることを特徴とする請求項１又は２に記載の帯状身体装着具。
【請求項４】
前記冷却物を包むための不織布からなる収容袋を備え、前記冷却物が前記収容袋に入れられてから前記ポケットに収容されることを特徴とする請求項１ないし３のいずれか１項に記載の帯状身体装着具。
【請求項５】
前記収容袋の坪量が１８〜５０ｇ／ｍ２であることを特徴とする請求項４に記載の帯状身体装着具。
【請求項６】
前記冷却物の代わりに加温物を用いることを特徴とする請求項１ないし５のいずれか１項に記載の帯状身体装着具。
【考案の詳細な説明】
【技術分野】
【０００１】
本考案は、身体を冷却等するために、首に掛けたり身体の一部に巻付けたりして使用することができる帯状身体装着具に関する。
【背景技術】
【０００２】
従来、冷却用または保温用熱媒体の収納ポケット部のサイズを自由に選択可能とするとともに、ポケット部に収納された熱媒体の冷却・保温作用の持続化を図ることを目的として、特開２００６−３１６３９４号公報に、保冷剤パック収納用のポケット単位として、袋状部をホックで区分けしたときの分割空間域を用意し、当該ホックそれぞれの開閉により選択される任意の単一ポケット単位または連続ポケット単位からなるポケット部を設定した冷却用または保温用の生体サポータが開示されている。
【先行技術文献】
【特許文献】
【０００３】
【特許文献１】特開２００６−３１６３９４号公報
【考案の概要】
【考案が解決しようとする課題】
【０００４】
しかし、特許文献１に開示されている生体サポータでは、ポケット部以外の端部において、ポケット部の両面を構成する２枚の布をミシン等で縫合して１枚の布状としている。このため、例えば首から掛けるようなときにはファッション性に劣るとともに、端部の用途が限定される。
【０００５】
本考案は、上記の点に鑑みなされたもので、帯状本体部の端部において２枚の帯状部材が接合されず独立して構成されることで、ファッション性に優れるとともに、身体の一部に巻付けたときに端部同士を容易に結ぶ等することができる帯状身体装着具を提供することを目的とする。
【課題を解決するための手段】
【０００６】
（１）本考案の帯状身体装着具は、
冷却物を収容するポケツトを備える帯状身体装着具であって、
２枚の布製の帯状部材を積層させ、前記帯状部材の長手方向に所定の距離を有する中央部、及び前記中央部の両側に設けられた一対の端部を備える帯状本体部と、
前記中央部のうち前記帯状部材の長手方向に所定の距離を空けるとともに前記帯状部材を幅方向にわたって接合する第１接合部、前記中央部のうち幅方向の一方の縁部を接合する第２接合部、及び前記中央部のうち幅方向の他方の縁部に設けられた開口部によって構成されるポケットと、を備え、
前記端部は２枚の前記帯状部材が接合されずにそれぞれの前記帯状部材が独立していることを特徴とする。
【０００７】
本考案の帯状身体装着具によれば、帯状本体部の端部において、２枚の帯状部材が接合されずにそれぞれの帯状部材が独立しているため、首などに掛けたときのファッション性に優れるとともに、汗等を拭きやすくなる。また、帯状身体装着具を身体の一部に巻付けて使用するときも、帯状部材の端部同士を結びやすくなる。
【０００８】
（２）本考案の帯状身体装着具の好ましい例は、
前記帯状部材が長手方向にずらして積層され、前記帯状本体部の長手方向の先端にオフセット部を備えることを特徴とする。
【０００９】
本考案の帯状身体装着具の好ましい例によれば、帯状部材が長手方向にずらして積層され、帯状本体部の先端にオフセット部を備えるため、よりファッション性に優れるとともに、帯状本体部の端部が掴みやすくなる。また、オフセット部の長さを変えることで、帯状身体装着具全体の長さを変えることもできる。
【００１０】
（３）本考案の帯状身体装着具の好ましい例は、２枚の前記帯状部材の色又は柄が異なっていることを特徴とする。
【００１１】
本考案の帯状身体装着具の好ましい例によれば、２枚の帯状部材の色又は柄がそれぞれ異なっているため、カラフルな外観にすることができるとともに、独立した端部の使い分けがし易くなる。
【００１２】
（４）本考案の帯状身体装着具の好ましい例は、
前記冷却物を包むための不織布からなる収容袋を備え、前記冷却物が前記収容袋に入れられてから前記ポケットに収容されることを特徴とする。
【００１３】
（５）本考案の帯状身体装着具の好ましい例は、
前記収容袋の坪量が１８〜５０ｇ／ｍ２であることを特徴とする。
【００１４】
これらの本考案の帯状身体装着具の好ましい例によれば、冷却物を包むための不織布からなる収容袋を備え、冷却物が収容袋に入れられてからポケットに収容されるため、不織布と冷却物及び不織布とポケットの内面との間に隙間ができ、冷却物からの冷たさを緩やかに身体に伝えることができる。また、冷却物に付着する結露水の殆どが不織布の内側に留まり、帯状部材が濡れるのを防止することができる。
【００１５】
（６）本考案の帯状身体装着具の好ましい例は、
前記冷却物の代わりに加温物を用いることを特徴とする。
【００１６】
本考案の帯状身体装着具の好ましい例によれば、冷却物の代わりに加温物を用いるため、冬でも帯状身体装着具を使用することができる。
【考案の効果】
【００１７】
上述したように、本考案の帯状身体装着具によれば、帯状本体部の端部において２枚の帯状部材が接合されず独立して構成されることで、ファッション性に優れるとともに、身体の一部に巻付けたときに端部同士を容易に結ぶ等することができる。
【図面の簡単な説明】
【００１８】
【図１】本考案の一実施形態に係る帯状身体装着具を説明する図である。
【図２】帯状身体装着具を説明する他の図である。
【図３】帯状身体装着具の使用例を模式的に示した図である。
【考案を実施するための形態】
【００１９】
以下、本考案の帯状身体装着具１の実施形態を、添付図面を参照して詳細に説明する。図１は帯状身体装着具１の正面図と収容袋３０と冷却物３１を示す図であり、図２は帯状身体装着具１の平面図である。図３は、帯状身体装着具１を例えば首に巻付けたときの状態を模式的に示した図である。
【００２０】
図１及び図２に示すように、本実施形態の帯状身体装着具１は、帯状本体部１０と、ポケット２０と、オフセット部１６ａ，１６ｂと、収容袋３０とを備える。なお、本実施形態の帯状身体装着具１に収容される冷却物３１は、公知の保冷剤等を用いることができる。また、冷却物３１の代わりに懐炉等の加温物を用いることもできる。
【００２１】
帯状本体部１０は、２枚の布製の帯状部材１１ａ，１１ｂが積層されて構成され、前記帯状部材１１ａ，１１ｂの長手方向の中央に、長手方向に向かって所定の距離ｄ１を有する中央部１２と、前記中央部１２の両側に設けられた一対の端部１３ａ，１３ｂ，１４ａ，１４ｂとを備える。中央部１２は、縫製等の方法で接合されることで後述するポケット２０を構成する。端部１３ａ，１３ｂ，１４ａ，１４ｂは、２枚の帯状部材１１ａ，１１ｂが接合されずにそれぞれの帯状部材１１ａ，１１ｂが独立しており、２枚の帯状部材１１ａ，１１ｂをそれぞれ広げることも重ねることも可能である。この帯状部材１１ａ，１１ｂとして、公知の布を用いることができる。本実施形態では汗等を拭くこと等を考慮して、帯状部材１１ａ，１１ｂにはタオル地のものを採用している。また、２枚の帯状部材１１ａ，１１ｂの色や柄をそれぞれ変えることができる。なお、帯状部材１１ａ，１１ｂの大きさも、様々なものを用いることができるが、本実施形態では幅ｗ１０〜１５ｃｍ、長さＬ９０〜１３０ｃｍのものを採用している。
【００２２】
ポケット２０は、上記の中央部１２に設けられるもので、第１接合部２１と、第２接合部２２と、開口部２３とを備える。第１接合部２１は、中央部１２のうち帯状部材１１ａ，１１ｂの長手方向に所定の距離ｄ２を空けるとともに帯状部材１１ａ，１１ｂを幅方向にわたって接合するもので、本実施形態では４本設けられている。この接合方法としては、接着テープ、ボタン等の方法も用いることができるが、本実施形態ではミシン等で縫製している。第２接合部２２は、中央部１２のうち幅方向の一方の縁部１５同士を接合してなるもので、ここもミシン等で縫製されている。開口部２３は、中央部１２のうち幅方向の他方の縁部に設けられたものである。これらの第１接合部２１と第２接合部２２とで、略コ字状の空間を構成し、開口部２３によって冷却物３１の出し入れが可能となる。また、開口部２３近傍の帯状部材１１ａ，１１ｂの内側には、面ファスナ等の留め具２４が設けられ、ポケット２０に入れた冷却物３１等が飛び出すのを防止している。この留め具２４としては、上記の面ファスナの他にボタンやフック等も用いることができる。なお、ポケット２０は本実施形態では３つ設けられているが、これに限られず所望の数を設けることができる。また、図２においてポケット２０の開口部２３を開いた状態としているが、通常時には閉じた状態で使用される。
【００２３】
オフセット部１６ａ，１６ｂは、帯状本体部１０の長手方向端部１３ａ，１３ｂ，１４ａ，１４ｂにおいて、２枚の帯状部材１１ａ，１１ｂの先端がずれてなるもので、２枚の帯状部材１１ａ，１１ｂを積層させるときに、帯状部材１１ａ，１１ｂを長手方向に互いにずらすことで実現される。このオフセット部１６ａ，１６ｂの長さを変えることで、同じ長さの帯状部材１１ａ，１１ｂを用いながら、長さＬを変えた帯状本体部１０とすることもできる。
【００２４】
収容袋３０は、冷却物３１を包むための不織布からなるもので、冷却物３１をこの収容袋３０に入れてから、ポケット２０に入れることが好ましい。この収容袋３０としては、比較的薄手の不織布が好ましく、例えば、坪量が１８〜５０ｇ／ｍ２のものが採用される。これは、不織布が薄すぎると冷却物３１に付着した結露水がポケット２０に染み出しやすくなるためであり、不織布が厚すぎると熱の伝達が悪くなるからである。実際の収容袋３０としては、市販されているお茶用や出汁用のパックをそのまま使用することができる。また、上記の坪量の不織布であれば、収容袋３０を二重に用いることも可能である。この収容袋３０を二重にすることで、熱の伝達の加減が可能となる。
【００２５】
次に、上述の本実施形態の帯状身体装着具１の構成を踏まえて、帯状身体装着具１の使用方法を説明する。
【００２６】
先ず、帯状身体装着具１の準備をする。これは、冷やした冷却物３１を収容袋３０に入れ、次に、収容袋３０に入れた冷却物３１を帯状本体部１０のポケット２０に入れる。このとき、冷却物３１と収容袋３０との間に僅かながら隙間ができ、断熱性能が向上するとともに、結露水の殆どが収容袋３０の内側に閉じ込められ、帯状本体部１０のポケット２０が濡れるのを防止することができる。この効果は、収容袋３０を二重にしたときにより高く現われる。また、収容袋３０とポケット２０の内面との間にも隙間ができ、ここでも断熱性能を向上させることができる。これにより、冷却物３１からの冷たさが穏やかに身体に伝わり、心地よい付け心地と冷却物３１の冷たさの長持ちを実現させることができる。
【００２７】
次に、準備が終わった帯状身体装着具１を首に掛けて、首の後ろ側に帯状本体部１０の中央部１２が接触するようにして、胸の前に端部１３ａ，１３ｂ，１４ａ，１４ｂを垂らすようにする。このとき、端部１３ａ，１３ｂ，１４ａ，１４ｂは２枚の帯状部材１１ａ，１１ｂが接合されていないため、例えば一方の帯状部材１１ａを手拭き用に、他方の帯状部材１１ｂを顔等の汗拭き用にと使い分けることができる。このとき、帯状部材１１ａ，１１ｂの色又は柄を変えていれば、上記の使い分けがし易くなる。また、オフセット部１６ａ，１６ｂが設けられているため、２枚ある帯状部材１１ａ，１１ｂの端部１３ａ，１３ｂ，１４ａ，１４ｂのうち所望の側を容易に掴むことができる。また、図３に示すように、一方の帯状部材１１ａの端部１３ａ，１３ｂ同士を首の前で結び、他方の帯状部材１１ｂの端部１４ａ，１４ｂを胸の前に垂らして用いることもできる。また、帯状身体装着具１の長さや大きさによっては、胴体、足、腕等に巻付けて使用することもできる。このようなときも、帯状本体部１０の端部１３ａ，１３ｂ，１４ａ，１４ｂが２枚に分かれているため、端部１３ａ，１３ｂ，１４ａ，１４ｂが厚くならず、端部同士を容易に結ぶことができる。
【００２８】
以上、説明したように、本実施形態の帯状身体装着具１によれば、帯状本体部１０の端部１３ａ，１３ｂ，１４ａ，１４ｂが接合されずに帯状部材１１ａ，１１ｂが独立しているため、一方の帯状部材１１ａ，１１ｂと他方の帯状部材１１ａ，１１ｂとで用途を分けることができる。また、オフセット部１６ａ，１６ｂが設けられているため。一方の帯状部材１１ａ，１１ｂと他方の帯状部材１１ａ，１１ｂとを容易に区別することができる。さらに、帯状部材１１ａ，１１ｂの色又は柄をそれぞれ変えることで、２枚の帯状部材１１ａ，１１ｂの区別がより容易となる。またさらに、オフセット部１６ａ，１６ｂの長さを変更することで、同じ長さの帯状部材１１ａ，１１ｂから複数の長さの帯状身体装着具１を製造することができる。
【００２９】
また、冷却物３１を収容袋３０に入れてからポケット２０に入れるため、熱の伝達が緩やかになるとともに、結露水がポケット２０に殆ど付着することがない。
【００３０】
なお、上述の実施形態の帯状身体装着具１は本考案の例示であり、考案の趣旨を逸脱しない範囲においてその構成を適宜変更することができる。
【符号の説明】
【００３１】
１・・帯状身体装着具、
１０・・帯状本体部、１１ａ，１１ｂ・・帯状部材、１２・・中央部、１３ａ，１３ｂ，１４ａ，１４ｂ・・端部、１５・・縁部、１６ａ，１６ｂ・・オフセット部、
２０・・ポケット、２１・・第１接合部、２２・・第２接合部、２３・・開口部、２４・・留め具、
３０・・収容袋、３１・・冷却物、
【図１】
0003224459.tif 000003
【図２】
0003224459.tif 000004
【図３】
0003224459.tif 000005